(57)【要約】【課題】  大容量のデータを圧縮することなく記録することができる光記録再生装置を提供する。【解決手段】  回転ドラム１の内部に該回転ドラムの回転中心と該回転ドラムの外周面に形成するレーザー光照射部５とをつないでレーザー光６を通じるべく配設される光ファイバ３を備え、該光ファイバを通じるレーザー光が前記レーザー光照射部から照射することで、回転しながらレーザー光を外周面から照射する回転ドラムの外周面に当接しつつ該回転ドラムの回転面から傾斜した方向に進行するレーザー光にて記録可能な光記録テープに対し前記レーザー光でヘリカルスキャン方式によりデータを記録・再生する。【選択図】図２
2008204508.tif 000002
【特許請求の範囲】
【請求項１】
回転ドラムの内部に該回転ドラムの回転中心と回転ドラムの外周面に形成するレーザー光照射部とをつないでレーザー光を通じるべく導光手段を配設し、該導光手段を通じるレーザー光が前記レーザー光照射部から照射することで、回転しながらレーザー光を外周面から照射する回転ドラムの外周面に当接しつつ該回転ドラムの回転面から傾斜した方向に進行するレーザー光にて記録可能な光記録テープに対し前記レーザー光でヘリカルスキャン方式によりデータを記録・再生することを特徴とする光記録再生装置。
【請求項２】
導光手段は光ファイバとしたことを特徴とする請求項１記載の光記録再生装置。
【請求項３】
導光手段は回転ドラム内に複数本配設し回転ドラムの外周面に複数配設したレーザー光照射部からレーザー光を照射することを特徴とする請求項１又は２記載の光記録再生装置。
【発明の詳細な説明】
【技術分野】
【０００１】
本発明は、レーザー光でデータを記録・再生する光記録再生装置に係り、特に記録媒体としてディスクに代わり記録容量の大きいテープを用いることで、映像信号等の大量のデータを圧縮することなくそのまま記録し再生することができる光記録再生装置に関する。
【背景技術】
【０００２】
従来の光記録再生装置にあっては、レーザー光によりデータが記録される光記録層を備えたＣＤ−ＲやＤＶＤ−Ｒ等のディスク形状の記録媒体が用いられている。このディスクを回転させつつ光記録再生装置のレーザーピックアップから照射されるレーザー光が、ディスクにスパイラル状に形成されるライン上にデータを記録するもので、レーザーピックアップを移動させることでディスクに記録されたデータに対するアクセスが速く行えるという特徴を有している。
【特許文献１】特開平０５−２９８７７５号公報
【発明の開示】
【発明が解決しようとする課題】
【０００３】
しかしながら、記録媒体としてのディスクの表面積は限られていることから、データの記録容量は限度があり、そのためディスクへの記録に際してはデータを圧縮することが通常行われており、特に映像信号等の大容量のデータでは高圧縮な記録が標準的に行われている。
しかし、映像信号等の貴重なデータを圧縮することなく元の信号のまま高精度に記録することへの需要は大きく、そのため記録容量に限度があるディスクに代わる媒体に大容量のデータをそのまま記録することが期待されている。
【０００４】
そこで本発明は、これらの問題を解決すべく、大容量のデータを圧縮することなく記録することができる光記録再生装置を提供することを目的とする。
【課題を解決するための手段】
【０００５】
前記課題を達成するため、本発明の光記録再生装置は、回転ドラムの内部に該回転ドラムの回転中心と回転ドラムの外周面に形成するレーザー光照射部とをつないでレーザー光を通じるべく導光手段を配設し、該導光手段を通じるレーザー光が前記レーザー光照射部から照射することで、回転しながらレーザー光を外周面から照射する回転ドラムの外周面に当接しつつ該回転ドラムの回転面から傾斜した方向に進行するレーザー光にて記録可能な光記録テープに対し前記レーザー光でヘリカルスキャン方式によりデータを記録・再生することを特徴とするものである。
【０００６】
また、導光手段は光ファイバとしたことを特徴とするものである。
【０００７】
また、光ファイバは回転ドラム内に複数本配設し回転ドラムの外周面に複数配設したレーザー光照射部からレーザー光を照射することを特徴とするものである。
【発明の効果】
【０００８】
本発明の光記録再生装置によれば、回転ドラムの内部に該回転ドラムの回転中心と回転ドラムの外周面に形成するレーザー光照射部とをつないでレーザー光を通じるべく導光手段を配設し、該導光手段を通じるレーザー光が前記レーザー光照射部から照射することで、回転しながらレーザー光を外周面から照射する回転ドラムの外周面に当接しつつ該回転ドラムの回転面から傾斜した方向に進行するレーザー光にて記録可能な光記録テープに対し前記レーザー光でヘリカルスキャン方式によりデータを記録・再生することで、回転ドラムの内部構造を複雑にすることなく簡易な構造で光記録テープに対しレーザー光を用いて大量のデータを記録し再生することが可能となる。
【０００９】
また、導光手段を光ファイバとすることで、レーザー光は曲がった光ファイバ内でも倣って進むことから、レーザー光を回転ドラムの回転中心から折曲させてレーザー光照射部へと容易に導くことができる。
【００１０】
また、ファイバは回転ドラム内に複数本配設し回転ドラムの外周面に複数配設したレーザー光照射部からレーザー光を照射することで、磁気記録のヘリカルスキャン方式と同様の高密度記録を行うことができる。
【発明を実施するための最良の形態】
【００１１】
図１〜図２は、本発明の光記録再生装置を表し、１は回転しながら外周面からレーザー光を照射する回転ドラム、２はレーザー光にて記録可能な光記録テープで、回転ドラム１の外周面の約半周に巻き付きながら回転ドラム１の回転面から傾斜した方向に進行する。３は回転ドラム１における上面の回転中心部４から外周面に設けられたレーザー光照射部５までをつないで回転ドラム１内部に配設される、レーザー光を通じるべく透明なガラスや合成樹脂材からなる光ファイバ、６は回転ドラム１の回転中心に位置する光ファイバ３の上端面に照射されるレーザー光である。
【００１２】
このような構成からなる本発明の光記録再生装置において、レーザー光６は光ファイバ３の上端面から入射すると、光ファイバ３内を通って回転ドラム１の外周面の光ファイバ３の他方の端面が位置するレーザー光照射部５から照射される。そして、レーザー光照射部５に接している光記録テープ２の光記録層に対し、レーザー光のオン・オフ、又は強弱でスポット的にデータを記録していく。このレーザー光を照射するレーザー光照射部５が回転しつつ光記録テープ２が進むことで、図３に示すごとく光記録テープ２にはヘリカルスキャン方式での高密度の記録を行うことができる。
【００１３】
図４は、本発明の光記録再生装置の他の実施例を示すもので、回転ドラム１の外周面の相対向する位置に２つのレーザー光照射部５を配設するとともに、回転ドラム１の内部に回転中心部４からレーザー光照射部５に配設される光ファイバ３を２本配設するものである。これにより、回転ドラム１外周面の約半周に巻き付けられる光記録テープ２に対してレーザー光照射部５1とレーザー光照射部５2が交互にデータを連続して記録することができる。
【００１４】
尚、上述した実施例にあっては、回転ドラム１の内部に光ファイバ３を２本配設した場合について説明したが、もちろんこれに限定されることはなく、３本以上であってもよいものである。
【図面の簡単な説明】
【００１５】
【図１】本発明の光記録再生装置の説明図である。
【図２】本発明の光記録再生装置の説明図である。
【図３】本発明の光記録再生装置の説明図である。
【図４】本発明の光記録再生装置の他の実施例の説明図である。
【符号の説明】
【００１６】
１  回転ドラム
２  光記録テープ
３  光ファイバ
４  回転中心部
５  レーザー光照射部
６  レーザー光
【図１】
2008204508.tif 000003
【図２】
2008204508.tif 000004
【図３】
2008204508.tif 000005
【図４】
2008204508.tif 000006